(57)【要約】【課題】簡易な構造であって製造が容易であり、かつ、実用性が十分に高いフェイスガードを提供する。【解決手段】頭部に装着されるフェイスガードであって、顔面を覆う前面部１０を有し、装着状態における前面部１０の上端部及び下端部の少なくとも一方には、顔面側に向けて内側に傾斜したカバー部１９が設けられている。また、カバー部１９は、折り曲げ部１８を介して前面部１０に連接しており、折り曲げ部１８が前面部１０側に凸となる円弧形状に形成され、折り曲げ部１８に対向する端縁１９ａが前面部１０側に凸となる円弧形状に形成される。【選択図】図１５
0003231143.tif 000002
【実用新案登録請求の範囲】
【請求項１】
頭部に装着されるフェイスガードであって、
顔面を覆う前面部を有し、
装着状態における前記前面部の上端部及び下端部の少なくとも一方には、顔面側に向けて内側に傾斜したカバー部が設けられているフェイスガード。
【請求項２】
請求項１に記載のフェイスガードにおいて、
前記カバー部は、折り曲げ部を介して前記前面部に連接しており、前記折り曲げ部が前記前面部側に凸となる円弧形状に形成され、前記折り曲げ部に対向する端縁が前記前面部側に凸となる円弧形状に形成されるフェイスガード。
【考案の詳細な説明】
【技術分野】
【０００１】
本考案は、頭部に装着されるフェイスガードに関するものである。
【背景技術】
【０００２】
感染症の診察時や治療時には、医療従事者は、患者からの感染を防止する必要がある。
患者の咳やくしゃみ等による飛沫を浴びてしまうことを防止する有効な防具として、フェイスガードが用いられている（例えば、特許文献１）。
【０００３】
しかし、特許文献１のような複雑な形態では、感染症蔓延時のような医療資材の不足時等に、短時間で大量生産を行うことが難しかった。
【先行技術文献】
【特許文献】
【０００４】
【特許文献１】特許第６３４１５５９号公報
【考案の概要】
【考案が解決しようとする課題】
【０００５】
本考案の課題は、簡易な構造であって製造が容易であり、かつ、実用性が十分に高いフェイスガードを提供することである。
【課題を解決するための手段】
【０００６】
本考案は、以下のような解決手段により、前記課題を解決する。なお、理解を容易にするために、本考案の実施形態に対応する符号を付して説明するが、これに限定されるものではない。
【０００７】
第１の考案は、頭部に装着されるフェイスガードであって、顔面を覆う前面部（１０）を有し、装着状態における前記前面部（１０）の上端部及び下端部の少なくとも一方には、顔面側に向けて内側に傾斜したカバー部（１９）が設けられているフェイスガードである。
【０００８】
第２の考案は、第１の考案に記載のフェイスガードにおいて、前記カバー部（１９）は、折り曲げ部（１８）を介して前記前面部（１０）に連接しており、前記折り曲げ部（１８）が前記前面部（１０）側に凸となる円弧形状に形成され、前記折り曲げ部（１８）に対向する端縁（１９ａ）が前記前面部（１０）側に凸となる円弧形状に形成されるフェイスガードである。
【考案の効果】
【０００９】
本考案によれば、簡易な構造であって製造が容易であり、かつ、実用性が十分に高いフェイスガードを提供することができる。
【図面の簡単な説明】
【００１０】
【図１】本考案によるフェイスガードの第１実施形態の展開図である。
【図２】本考案によるフェイスガードの第１実施形態の頭部への装着状態における正面の写真である。
【図３】本考案によるフェイスガードの第１実施形態の頭部への装着状態における左側面の写真である。
【図４】本考案によるフェイスガードの第１実施形態の頭部への装着状態における背面の写真である。
【図５】本考案によるフェイスガードの第１実施形態の頭部への装着状態における右側面の写真である。
【図６】本考案によるフェイスガードの第１実施形態の頭部への装着状態における上面の写真である。
【図７】本考案によるフェイスガードの第１実施形態の頭部への装着状態における下面の写真である。
【図８】本考案によるフェイスガードの第１実施形態の頭部への装着状態における左前斜視の写真である。
【図９】本考案によるフェイスガードの第１実施形態の頭部への装着状態における右前斜視の写真である。
【図１０】本考案によるフェイスガードの第１実施形態の頭部への装着状態における左後斜視の写真である。
【図１１】本考案によるフェイスガードの第１実施形態の頭部への装着状態における右後斜視の写真である。
【図１２】本考案によるフェイスガードの第２実施形態の頭部への装着状態における左前斜視図である。
【図１３】本考案によるフェイスガードの第２実施形態の頭部への装着状態における右前斜視図である。
【図１４】本考案によるフェイスガードの第３実施形態の展開図である。
【図１５】本考案によるフェイスガードの第３実施形態の頭部への装着状態における左前斜視図である。
【図１６】本考案によるフェイスガードの第３実施形態の頭部への装着状態における右前斜視図である。
【考案を実施するための形態】
【００１１】
以下、本考案を実施するための最良の形態について図面等を参照して説明する。
【００１２】
（第１実施形態）
図１は、本考案によるフェイスガードの第１実施形態の展開図である。
図２は、本考案によるフェイスガードの第１実施形態の頭部への装着状態における正面の写真である。
図３は、本考案によるフェイスガードの第１実施形態の頭部への装着状態における左側面の写真である。
図４は、本考案によるフェイスガードの第１実施形態の頭部への装着状態における背面の写真である。
図５は、本考案によるフェイスガードの第１実施形態の頭部への装着状態における右側面の写真である。
図６は、本考案によるフェイスガードの第１実施形態の頭部への装着状態における上面の写真である。
図７は、本考案によるフェイスガードの第１実施形態の頭部への装着状態における下面の写真である。
図８は、本考案によるフェイスガードの第１実施形態の頭部への装着状態における左前斜視の写真である。
図９は、本考案によるフェイスガードの第１実施形態の頭部への装着状態における右前斜視の写真である。
図１０は、本考案によるフェイスガードの第１実施形態の頭部への装着状態における左後斜視の写真である。
図１１は、本考案によるフェイスガードの第１実施形態の頭部への装着状態における右後斜視の写真である。
なお、本明細書の説明においては、フェイスガードを頭部に装着した状態の被装着者が直立した状態における被装着者から見た前後左右上下の方向を適宜用いて説明することとする。
【００１３】
本実施形態のフェイスガードは、前面部１０と、環状ベルト部２０と、アーチ状ベルト部３０と、第１保持具４０と、第２保持具５０とを組み合わせることにより、図２から図１１に示す形態となる。
【００１４】
前面部１０は、透明な樹脂シート材により構成されている。本実施形態では、前面部１０は、厚さ０．３ｍｍのＰＥＴ（Polyethylene terephthalate）樹脂シートを用いて構成されている。
前面部１０は、装着者の目と、鼻と、口とを覆う大きさを有していることが望ましく、より望ましくは、各図に示すように前頭部も含めて顔面全体を覆う大きさであることが望ましい。
【００１５】
前面部１０は、下方に両側面に沿った折り目１４をそれぞれ有し、端部が内側に折れている。これにより、前面部１０は、顔面に沿う形となり、防護機能を高め、かつ、装着時の動きやすさを確保している。
前面部１０は、環状ベルト部２０を通して保持するための環状ベルト接続部１１０を備えている。環状ベルト接続部１１０は、装着状態における側頭部付近に設けられており、前面部第１貫通孔１１と、スリット部１２と、環状ベルト部貫通孔２１と、第１保持具４０とを備えている。
【００１６】
前面部第１貫通孔１１は、前面部１０の左右両端部近傍、かつ、前面部１０の上方に設けられた貫通孔である。
【００１７】
スリット部１２は、前面部第１貫通孔１１から前方向に離間した位置に設けられ、環状ベルト部２０が貫通する細長いスリットである。
【００１８】
環状ベルト部貫通孔２１は、後述する環状ベルト部２０の前面部第１貫通孔１１に対応する位置に設けられた貫通孔である。
【００１９】
第１保持具４０は、前面部第１貫通孔１１及び環状ベルト部貫通孔２１を貫通して配置され、着脱自在に前面部１０及び環状ベルト部２０を保持する留め具である。本実施形態の第１保持具４０は、前面部１０及び環状ベルト部２０を両側から挟むように２部品により構成されており、それぞれ、前面部第１貫通孔１１及び環状ベルト部貫通孔２１を貫通する軸部と、軸部と一体のフランジ部とを備えている。一方の軸部に、他方の軸部が挿入可能となっており、その他方の軸部の先端に爪形状が設けられており、いわゆるスナップフィットにより２つの部品が固定される構成となっている。よって、第１保持具４０は、着脱自在に前面部１０及び環状ベルト部２０を保持することができる。
【００２０】
また、前面部は、アーチ状ベルト部３０を固定するためのアーチ状ベルト接続部１２０を備える。
アーチ状ベルト接続部１２０は、前面部第２貫通孔１３と、アーチ状ベルト部貫通孔３１と、第２保持具５０とを備えている。
前面部第２貫通孔１３は、前面部１０の左右両端部近傍、かつ、前面部１０の上方であって、環状ベルト接続部１１０よりも上方に設けられた貫通孔である。
アーチ状ベルト部貫通孔３１は、後述のアーチ状ベルト部３０の両端部近傍に設けられた貫通孔である。
第２保持具５０は、前面部第２貫通孔１３及びアーチ状ベルト部貫通孔３１を貫通して配置され、着脱自在に前面部１０及びアーチ状ベルト部３０を保持する留め具である。本実施形態の第２保持具５０は、前面部１０及びアーチ状ベルト部３０を両側から挟むように２部品により構成されており、それぞれ、前面部第２貫通孔１３及びアーチ状ベルト部貫通孔３１を貫通する軸部と、軸部と一体のフランジ部とを備えている。一方の軸部が雄ねじであり、他方の軸部が雌ねじであることから、両者が螺合することにより、２つの部品が固定される構成となっている。よって、第２保持具５０は、着脱自在に前面部１０及びアーチ状ベルト部３０を保持することができる。
また、第１保持具４０及び第２保持具５０の双方とも、一般に市販されている汎用品を利用することができる。
【００２１】
環状ベルト部２０は、略両端部同士を接続することで環状となり、顔面に対して略水平に嵌められる。環状ベルト部２０には、環状ベルト部貫通孔２１が２か所設けられている。
環状ベルト部貫通孔２１は、後述する環状ベルト部２０の前面部第１貫通孔１１に対応する位置に設けられた貫通孔である。ここで、２つの環状ベルト部貫通孔２１の間の距離は、２つの前面部第１貫通孔１１の間の距離よりも短くなっている。したがって、環状ベルト接続部１１０よりも前方においては、前面部１０と環状ベルト部２０との間に隙間が設けられることとなる。この隙間を設けたことにより、前面部１０は、顔面から所定の距離だけ離間した状態となり、前面部の曇りを抑制できる。また、前面部１０と環状ベルト部２０との間に隙間が設けられていることにより、息苦しさも感じにくく、使い勝手のよいフェイスガードとすることができる。
【００２２】
環状ベルト部２０は、略帯状に形成されており、両端部のそれぞれに、互いが係合可能な係合形状２２が形成されている。本実施形態の係合形状２２は、略半円形状の貫通した切断線であり、両端部のそれぞれが半円の円弧凸側が対向する向きに配置されている。なお、係合形状２２は、この形状に限らず、互いに係合可能な公知の形態を利用可能である。係合形状２２の少なくとも一方は、複数個所に設けられており、環状ベルト部２０の装着時の環状形状の大きさを調節可能である。よって、より装着感を良好にすることができる。本実施形態では、環状ベルト部２０の両端それぞれに、複数個所の係合形状２２を設けている。
【００２３】
アーチ状ベルト部３０は、頭部の上方に顔面に対して略垂直に当てがわれる。
アーチ状ベルト部３０は、略帯状に形成されており、両端部のそれぞれに、アーチ状ベルト部貫通孔３１が形成されている。両端に設けられているアーチ状ベルト部貫通孔３１の少なくとも一方は、複数個所に設けられており、アーチ状ベルト部３０の装着時のアーチ状ベルト接続部１２０の間の長さ（略円弧状になる部分の長さ）を調節可能である。よって、より装着感を良好にすることができる。本実施形態では、アーチ状ベルト部３０の両端それぞれに、複数個所のアーチ状ベルト部貫通孔３１を設けている。
【００２４】
また、本実施形態では、前面部１０と、環状ベルト部２０と、アーチ状ベルト部３０とは、いずれも同じ素材かつ同じ厚さの透明なシート状素材により構成されている。すなわち、前面部１０と、環状ベルト部２０と、アーチ状ベルト部３０とは、いずれも厚さ０．３ｍｍのＰＥＴ樹脂シートを用いて構成されている。よって、前面部１０と、環状ベルト部２０と、アーチ状ベルト部３０とを１枚の素材から切り出すことができ、製造を容易に行うことができ、簡単に大量生産を行うことができる。
【００２５】
以上説明したように、本実施形態のフェイスガードは、簡単な構成であっても使い勝手がよく実用性が十分に高く、また、容易に大量生産を行うことができる。
【００２６】
（第２実施形態）
図１２は、本考案によるフェイスガードの第２実施形態の頭部への装着状態における左前斜視図である。
図１３は、本考案によるフェイスガードの第２実施形態の頭部への装着状態における右前斜視図である。
第２本実施形態のフェイスガードは、第１実施形態における第１保持具４０及び第２保持具５０を省略した点と、緩衝部材６０を追加した点で、第１実施形態と異なるが、その他については、第１実施形態と同様である。よって、前述した第１実施形態と同様の機能を果たす部分には、同一の符号を付して、重複する説明を適宜省略する。
【００２７】
第１実施形態では、環状ベルト接続部１１０は、前面部第１貫通孔１１と、スリット部１２と、環状ベルト部貫通孔２１と、第１保持具４０とを用いて構成されていた。これに対して、第２実施形態では、環状ベルト接続部１１０Ｂは、保持具等の別部材を用いずに、環状ベルト部２０に設けられた係合形状である係合片２３と、前面部１０に設けられた係合形状である係合孔１５とが係合する構成となっている。
なお、環状ベルト接続部１１０Ｂの係合形態は、一例を示したものであり、従来公知の同様な係合部に用いられる係合形態を適宜利用できる。
【００２８】
また、第１実施形態では、アーチ状ベルト接続部１２０は、前面部第２貫通孔１３と、アーチ状ベルト部貫通孔３１と、第２保持具５０とを用いて構成されていた。これに対して、第２実施形態では、アーチ状ベルト接続部１２０ＢＬ、１２０ＢＲは、左側（１２０ＢＬ）と右側（１２０ＢＲ）とで形態が異なるが、いずれも、保持具の別部材を用いずに、アーチ状ベルト部３０に設けられた係合形状と、前面部１０に設けられた係合形状とが係合することにより構成されている。
具体的には、左側（頭部に装着された状態で頭部の左となる側）のアーチ状ベルト接続部１２０ＢＬは、アーチ状ベルト部３０に設けられた係合形状である係合片３２と、前面部１０に設けられた係合形状である係合孔１６とが係合することにより構成されている。
また、右側（頭部に装着された状態で頭部の右となる側）のアーチ状ベルト接続部１２０ＢＲは、アーチ状ベルト部３０に設けられた係合形状である複数個所設けられた切欠部３３と、前面部１０に設けられた係合形状である係合孔１７とが係合することにより構成されている。アーチ状ベルト接続部１２０ＢＲは、係合孔１７と係合する切欠部３３の位置を変えることにより、頭部に当接する部位の長さを変更することができる。
なお、アーチ状ベルト接続部１２０ＢＬ、１２０ＢＲの係合形態は、一例を示したものであり、従来公知の同様な係合部に用いられる係合形態を適宜利用できる。
【００２９】
また、第２実施形態の環状ベルト接続部１１０は、頭部に接触する部位に、肌触りを改善する緩衝部材６０が設けられている。緩衝部材６０としては、例えば、ポリウレタンフォーム等のスポンジ状の部材を用いると、肌触りが改善され、かつ、通気性が得られて蒸れを抑制でき、また、汗の吸収効果も得ることができる。緩衝部材６０は、図示したように額に接する近辺において、環状ベルト部２０に接着や両面粘着テープ等で固定されるとよい。なお、緩衝部材６０は、図示したように１つを該当部分に設けてもよいが、複数箇所に分けて設けてもよい。
【００３０】
（第３実施形態）
図１４は、本考案によるフェイスガードの第３実施形態の展開図である。
図１５は、本考案によるフェイスガードの第３実施形態の頭部への装着状態における左前斜視図である。
図１６は、本考案によるフェイスガードの第３実施形態の頭部への装着状態における右前斜視図である。
第３実施形態のフェイスガードは、第２実施形態における緩衝部材６０を省略した点と、前面部１０の上端部にカバー部１９が追加された点で、第２実施形態と異なるが、その他については、第２実施形態と同様である。よって、前述した第２実施形態と同様の機能を果たす部分には、同一の符号を付して、重複する説明を適宜省略する。
【００３１】
前面部１０は、図１４に示すように、上端部に折り目（折り曲げ部）１８を挟んでカバー部１９が設けられている。
カバー部１９は、図１５、図１６に示すように、折り目１８により前面部１０の内側（フェイスガードを頭部に装着した場合における顔面側）に、前面部１０に対して傾斜するようにして折り曲げられており、頭部にフェイスガードを装着した場合において形成される前面部１０と頭部（被装着者の額）との隙間を覆う。これにより、フェイスガードの内側（顔面側）へ飛沫や細菌等が侵入する経路を減らすことができ、フェイスガードを装着している被装着者の顔面に飛沫等が到達してしまうのを抑制することができる。
カバー部１９は、前面部１０の上端部に沿って、左右方向に延在するようにして形成されており、その左右方向の幅は一般的な成人の左右の頬の間隔と同程度、若しくはそれ以上の幅で形成されるのが、飛沫等の侵入抑制効果を向上させる観点から望ましい。
本実施形態のカバー部１９は、折り目１８を介して前面部１０に対して連接しており、折り目１８が前面部１０側に凸となる円弧形状に形成されている。また、カバー部１９は、折り目１８に対向する端縁１９ａが、前面部１０側に凸となる円弧形状に形成されている。これにより、前面部１０を顔面に沿うようにして湾曲させつつ、カバー部１９を前面部１０に対して傾斜した状態を維持しやすくすることができる。また、カバー部１９の端縁１９ａを、被着者の顔面の額に沿うようにして配置させることができ、顔面とカバー部１９との隙間を小さくすることもできる。
なお、カバー部１９は、前面部１０とは別部材で構成されるようにしてもよい。
また、本実施形態では、前面部１０の上端部にカバー部１９を設ける例を示したが、これに限定されるものでなく、上端部に代えて、若しくは上端部に加え、前面部１０の下端部にカバー部を設けるようにしてもよい。これにより、前面部１０と頭部（被装着者の顎近傍）との隙間を塞ぐことができ、フェイスガードの内側（顔面側）への飛沫等の侵入をより効果的に抑制することができる。
本実施形態の環状ベルト部２０は、第２実施形態と同様に、略帯状に形成されており、一端に係合孔２２ａが、他端に係合孔２２ａに係合する複数の切欠部２２ｂが形成されている。環状ベルト部２０は、被着者の頭部のサイズに合わせて、係合孔２２ａに係合する切欠部２２ｂの位置を調整することができる。
【００３２】
なお、本実施形態のカバー部１９は、第２実施形態のフェイスガードの前面部に設ける例を示したがこれに限定されるものでなく、第１実施形態のフェイスガードの前面部に設けるようにしてもよい。
また、本実施形態のフェイスガードに、第２実施形態における緩衝部材６０を設けるようにしてもよい。
【００３３】
（変形形態）
以上説明した実施形態に限定されることなく、種々の変形や変更が可能であって、それらも本考案の範囲内である。
【００３４】
（１）実施形態において、前面部１０と、環状ベルト部２０と、アーチ状ベルト部３０とは、いずれも同じ素材かつ同じ厚さの透明なシート状素材により構成されている例を挙げて説明した。これに限らず、例えば、それぞれ、又は、いずれかを異なる素材を用いて作製してもよい。例えば、環状ベルト部２０とアーチ状ベルト部３０との一方、又は、双方について、布を用いて構成してもよい。この場合、環状ベルト部２０は、ゴムを内蔵した伸縮性を備えた布製ベルトを用いると、頭部への装着感を向上させることができる。また、布製の各ベルト部は、洗濯が可能であり、清潔な状態で繰り返し使用が可能である。
【００３５】
（２）実施形態において、厚さ０．３ｍｍのＰＥＴ樹脂シートを用いて前面部１０と、環状ベルト部２０と、アーチ状ベルト部３０とを構成する例を挙げて説明した。これに限らず、具体的な素材は、適宜変更してもよい。
【００３６】
（３）実施形態において、フェイスガードがアーチ状ベルト部３０を備える構成を例示して説明した。これに限らず、例えば、アーチ状ベルト部３０を省略してもよい。
【００３７】
（４）実施形態において、フェイスガードの前面部１０は、環状ベルト部２０や、アーチ状ベルト部３０により被着者の頭部に装着される例を示したが、その他の装着方法により頭部に装着されるようにしてもよい。例えば、前記ベルト部の代わりに、前面部１０にメガネフレームを固定し、メガネをかけるようにしてフェイスガードを頭部に装着するようにしてもよい。
【００３８】
なお、各実施形態及び変形形態は、適宜組み合わせて用いることもできるが、詳細な説明は省略する。また、本考案は以上説明した各実施形態によって限定されることはない。
【符号の説明】
【００３９】
１０    前面部
１１    前面部第１貫通孔
１２    スリット部
１３    前面部第２貫通孔
１４、１８    折り目
１５、１６、１７  係合孔
１９    カバー部
２０    環状ベルト部
２１    環状ベルト部貫通孔
２２    係合形状
２３    係合片
３０    アーチ状ベルト部
３１    アーチ状ベルト部貫通孔
３２    係合片
３３    切欠部
４０    第１保持具
５０    第２保持具
６０    緩衝部材
１１０、１１０Ｂ  環状ベルト接続部
１２０、１２０ＢＬ、１２０ＢＲ  アーチ状ベルト接続部
【図１】
0003231143.tif 000003
【図２】
0003231143.tif 000004
【図３】
0003231143.tif 000005
【図４】
0003231143.tif 000006
【図５】
0003231143.tif 000007
【図６】
0003231143.tif 000008
【図７】
0003231143.tif 000009
【図８】
0003231143.tif 000010
【図９】
0003231143.tif 000011
【図１０】
0003231143.tif 000012
【図１１】
0003231143.tif 000013
【図１２】
0003231143.tif 000014
【図１３】
0003231143.tif 000015
【図１４】
0003231143.tif 000016
【図１５】
0003231143.tif 000017
【図１６】
0003231143.tif 000018